(57)【要約】      （修正有）【課題】縦棧にハンガー本体の縦溝を掛止し、上下の横棧に、上下部に設けた掛止部を引掛け掛止することを特徴とするハンガーを提供する。【解決手段】ハンガー本体に切り溝を備えた折曲部と、折曲部より垂下した切り溝を備えた掛止部と、その下部に切り溝を備えた掛止肩部と、掛止肩部の先端より垂下した切り溝を備えた垂下部とで構成し、ハンガー本体に、掛止吊り杆用の受け部を設ける構造とし、各切り溝をハンガーネットの縦棧に差込み、また、折曲部と掛止肩部を、ハンガーネットの上下の横棧に掛止するハンガーを形成する。【選択図】図１
0003161320.tif 000002
【実用新案登録請求の範囲】
【請求項１】
ハンガー本体と、このハンガー本体の上部に、ハンガー本体の裏面に折曲げた切り溝を備えた折曲部と、この折曲部より鉛直方向に垂下した切り溝を備えた掛止部と、また、このハンガー本体の下部に設けた切り溝を備えた掛止肩部と、この掛止肩部の先端より鉛直方向に垂下した切り溝を備えた垂下部とで構成し、また、前記ハンガー本体の表面に、掛止吊り杆を挿入可能とする受け部を設ける構成であって、
前記各切り溝が、同じ直線状に位置する構造とするとともに、前記各切り溝をハンガーネットの縦棧に差込み、また、前記折曲部と掛止肩部を、このハンガーネットの上下の横棧に掛止する構成としたハンガー。
【請求項２】
請求項１に記載のハンガーであって、
前記受け部は、開放側より見て扁平Ｕ字形状で、細幅挿入部を有する樋とし、この樋の前側壁の高さが、後側壁の高さに対して、低く構成し、前記掛止吊り杆の挿入を容易とする構成としたハンガー。
【請求項３】
請求項３に記載のハンガーであって、
前記樋の後側壁に貫通した螺子部を形成し、この螺子部に、前記掛止吊り杆を固定する止め具を螺着する構成としたハンガー。
【考案の詳細な説明】
【技術分野】
【０００１】
本考案は、ハンガーネットの縦横棧に掛止できるハンガー（以下、ハンガーとする）に関する。
【背景技術】
【０００２】
周知の如く、この種のハンガーは、例えば、小物商品を多数個、かつ奥行き方向に、並べて吊下して陳列する場合に、重宝することから、それぞれの店舗で活用されているのが現況である。しかし、多数陳列した商品が接触し、ハンガーが動揺することがあり、この動揺と、仮に動揺としても、ハンガーが脱落しない構造が望まれている。また、このハンガーをハンガーネットに簡易、かつ確実に掛止できて、しかも、掛止したハンガーが、簡単に脱落しない構造のハンガーが要望されている。この要望を満足できるハンガーの構造を調査した、先行文献から検討する。
【０００３】
文献（１）は、実開昭５６−１５５６７９号の「ハンガーネット用掛吊具」であり、ハンガー本体（取付板）の掛止側の中心の上下方向に縦棧が掛止される縦溝を有し、このハンガー本体の掛止側の上部に縦棧の通過を許す切り溝を有する折曲げ掛止部（懸垂片）を設け、かつその掛止側の下部に縦棧の通過を許す切り溝を有する折曲げ掛止部（懸垂片）を設けた構造であって、このハンガー本体の掛吊杆取付側に、この掛吊杆を支持する掛止板と、この掛止板を覆う覆蓋を設けた構造である。この構造では、縦棧にハンガー本体の縦溝を掛止し、また、上下の横棧に、上下部に設けた掛止部を引掛け掛止することを特徴とする。しかし、この文献（１）は、ハンガー本体の上下部に、掛止部を設けるが、この掛止部は、直接、縦棧との交わりを持たず、この掛止部は、ハンガー本体の縦溝を介して、縦棧との関係を確保する。従って、この文献（１）は、荷重及びズレに対して、個々に対応する構造となり、問題を抱えていると考えられる。
【０００４】
この文献（２）は、実開平１−８９０６２号の「ディスプレー用ハンガー」であり、ハンガー本体の上部に、ハンガーネットの縦棧と、第一横棧に掛止される切り溝（二股部分）を有する折曲げ掛止部を設け、また、このハンガーの下部に、ハンガーネットの第二横棧に引掛ける突起部を有する折曲げ形成した固定部を設けた構造であり、第一横棧と第二横棧に、掛止部と固定部の折曲げを掛止することと、縦棧に掛止部と、その折曲げに設けた切り溝を掛止することで、このハンガーをハンガーネットに掛止、かつ吊下することを特徴とする。しかし、この考案は、縦棧にハンガーの上部を掛止する構造であり、縦棧と下部との掛止関係は確保されておらず、安定性に欠ける虞がある。また、この上部を掛止する構造であることから、小物商品袋を吊下する小型のハンガーの範疇に留まっている。
【０００５】
また文献（３）は、特開２００９−７２４１５の「ハンガーネットの物品受け具」であり、ハンガー本体（基板）の掛止側に、縦横棧に掛止できる略卍字形の切り溝を備えた取付部を、四隅に設け、また、ハンガー本体の物品受け部側に、各態様の物品受け部を設けた構造であり、ハンガー本体に設けた取付部を介して、繊維系のハンガーネットが変形しても確実、かつ安定して掛止可能とすることを特徴とする。従って、繊維系のハンガーネットには最適であるが、線材で形成されたハンガーネットでは、構造が複雑となり使用に不便であること、価格的に改良の余地があること、等の改良点が考えられる。
【０００６】
【特許文献１】実開昭５６−１５５６７９号
【特許文献２】実開平１−８９０６２号
【特許文献３】特開２００９−７２４１５
【考案の概要】
【考案が解決しようとする課題】
【０００７】
以上で説明した文献（１）と、文献（２）においては、前述した如く、個々に改良点を抱えている。従って、ハンガーに対する、各方向からの荷重、衝撃に対して、必ずしも、十分でないことから、例えば、個々の掛止部において、それぞれ、縦横棧に掛止関係を確保できる構造が要求される処である。
【０００８】
また、前記文献（３）は、前述した如く、繊維系のハンガーネットには最適であるが、線材で形成されたハンガーネットでは、構造が複雑となり使用に不便であること、価格的に改良の余地があること、等の改良点が考えられる。
【０００９】
上記に鑑み、本考案は、ハンガー本体に設けた、掛止部と、掛止肩部とを、それぞれ、縦横棧に掛止関係を確保できる構造とし、このハンガーに対する、各方向からの荷重、衝撃に対して、十分に耐え得るハンガーを提供する。また、本考案は、物品、又はパッケージ等の各種販売製品を吊下する掛止吊り杆を、ハンガーネットに取付けたハンガーに、容易、かつ簡易に掛止可能とすることを意図する。さらに、本考案は、ハンガーネットに掛止したハンガーに、掛止吊り杆を固定するに際し、このハンガーと掛止吊り杆との固定を、人目につかない箇所に設けた、螺子部と止め具を介して、達成することを意図する。
【課題を解決するための手段】
【００１０】
請求項１の考案は、ハンガー本体に設けた、掛止部と、掛止肩部とを、それぞれ、縦横棧に掛止関係を確保できる構造とし、このハンガーに対する、各方向からの荷重、衝撃に対して、十分に耐え得るハンガーを提供する。また、この請求項１の考案は、ハンガー本他の上部に切り溝を備えた掛止部を、また、その下部に切り溝を備えた掛止肩部を設ける構造とし、このハンガーの掛止時の、バランス感覚で、荷重に対応すること、安定性を確保すること、等を意図する。
【００１１】
従って、請求項１は、ハンガー本体と、このハンガー本体の上部に、ハンガー本体の裏面に折曲げた切り溝を備えた折曲部と、この折曲部より鉛直方向に垂下した切り溝を備えた掛止部と、また、このハンガー本体の下部に設けた切り溝を備えた掛止肩部と、この掛止肩部の先端より鉛直方向に垂下した切り溝を備えた垂下部とで構成し、また、前記ハンガー本体の表面に、掛止吊り杆を挿入可能とする受け部を設ける構成であって、
前記各切り溝が、同じ直線状に位置する構造とするとともに、前記各切り溝をハンガーネットの縦棧に差込み、また、前記折曲部と掛止肩部を、このハンガーネットの上下の横棧に掛止する構成としたハンガーである。
【００１２】
請求項２の考案は、物品、又はパッケージ等の各種販売製品を吊下する掛止吊り杆を、ハンガーネットに取付けたハンガーに、容易、かつ簡易に掛止可能とすることを意図する。
【００１３】
従って、請求項２は、請求項１に記載のハンガーであって、
前記受け部は、開放側より見て扁平Ｕ字形状で、細幅挿入部を有する樋とし、この樋の前側壁の高さが、後側壁の高さに対して、低く構成し、前記掛止吊り杆の挿入を容易とする構成としたハンガーである。
【００１４】
請求項３の考案は、ハンガーネットに掛止したハンガーに、掛止吊り杆を固定するに際し、このハンガーと掛止吊り杆との固定を、人目につかない箇所に設けた（美感と、怪我の回避と、落下防止等）、螺子部と止め具を介して、達成することを意図する。
【００１５】
従って、請求項３は、請求項３に記載のハンガーであって、
前記樋の後側壁に貫通した螺子部を形成し、この螺子部に、前記掛止吊り杆を固定する止め具を螺着する構成としたハンガーである。
【考案の効果】
【００１６】
請求項１の考案は、ハンガー本体と、ハンガー本体の上部に、ハンガー本体の裏面に折曲げた切り溝を備えた折曲部と、折曲部より鉛直方向に垂下した切り溝を備えた掛止部と、また、ハンガー本体の下部に設けた切り溝を備えた掛止肩部と、掛止肩部の先端より鉛直方向に垂下した切り溝を備えた垂下部とで構成し、また、ハンガー本体の表面に、掛止吊り杆を挿入可能とする受け部を設ける構成であって、
各切り溝が、同じ直線状に位置する構造とするとともに、各切り溝をハンガーネットの縦棧に差込み、また、折曲部と掛止肩部を、ハンガーネットの上下の横棧に掛止する構成としたハンガーである。
【００１７】
従って、請求項１は、ハンガー本体に設けた、掛止部と、掛止肩部とを、それぞれ、縦横棧に掛止関係を確保できる構造とし、このハンガーに対する、各方向からの荷重、衝撃に対して、十分に耐え得るハンガーを提供できる。また、この請求項１は、ハンガー本他の上部に切り溝を備えた掛止部を、また、その下部に切り溝を備えた掛止肩部を設ける構造とし、このハンガーの掛止時の、バランス感覚で、荷重に対応できること、安定性を確保できること、等の特徴がある。
【００１８】
請求項２の考案は、請求項１に記載のハンガーであって、
受け部は、開放側より見て扁平Ｕ字形状で、細幅挿入部を有する樋とし、樋の前側壁の高さが、後側壁の高さに対して、低く構成し、掛止吊り杆の挿入を容易とする構成としたハンガーである。
【００１９】
従って、請求項２は、物品、又はパッケージ等の各種販売製品を吊下する掛止吊り杆を、ハンガーネットに取付けたハンガーに、容易、かつ簡易に掛止可能となること、等の特徴を有する。
【００２０】
請求項３の考案は、請求項３に記載のハンガーであって、
樋の後側壁に貫通した螺子部を形成し、螺子部に、掛止吊り杆を固定する止め具を螺着する構成としたハンガーである。
【００２１】
従って、請求項３は、ハンガーネットに掛止したハンガーに、掛止吊り杆を固定するに際し、このハンガーと掛止吊り杆との固定を、人目につかない箇所に設けた（美感と、怪我の回避と、落下防止等）、螺子部と止め具を介して、達成できること、等の特徴を有する。
【図面の簡単な説明】
【００２２】
【図１】ハンガーネットの両側面（縦横棧）に、それぞれハンガーを掛止し、この対のハンガーに掛止吊り杆を設け、かつこの掛止吊り杆に吊下げフックを設けた一例の縮尺斜視図
【図２】ハンガーネットの一側面（一端面）の縦横棧に、ハンガーを掛止し、このハンガーに掛止吊り杆を設けた一例の背面視した斜視図
【図３】ハンガーネットの一側面の縦横棧に、ハンガーを掛止し、このハンガーに掛止吊り杆を設けた一例の断面視した側面図
【図４】ハンガーネットの一側面の縦横棧に、ハンガーを掛止し、このハンガーに掛止吊り杆を設けた一例の断面視した正面図
【考案を実施するための形態】
【００２３】
図中１はハンガーＡの主体となる方形状のハンガー本体で、このハンガー本体１は、その上部１ａを、その裏面１ｂに折曲げて、切り溝２を幅方向の中心に有する折曲部３と、この折曲部３より鉛直方向に垂下した切り溝２を備えた掛止部４とを設ける。そして、この掛止部４は、ハンガー本体１の裏面１ｂに平行に設けて、間隔５を形成する構造である。この間隔５には、ハンガーネットＸの第一横棧Ｘ１が挿入される。また、切り溝２には、線材で構成するハンガーネットＸの縦棧Ｘ２が挿入される。そして、ハンガーＡを、ハンガーネットＸに掛止すると、このハンガー本体１の折曲部３と、掛止部４に設けた切り溝２に、縦棧Ｘ２が挿入され、かつ折曲部３の折曲げ内面３ａが、第一横棧Ａ１に掛止めされる。この挿入と掛止（取付け）により、このハンガー本体１の上部１ａは、ハンガーネットＡの縦棧Ｘ２と、第一横棧Ｘ１とに、クロス形態で、確実、かつ強固に取付けられる構造である。
【００２４】
また、このハンガー本体１の下部１ｃを、その裏面１ｂに向かって略直角に折曲げて、切り溝２を備えた掛止肩部６を形成し、かつこの折曲肩部６の先端より鉛直方向に垂下し、前記掛止部４の鉛直した下方に切り溝２を備えた垂下部７を形成する。そして、ハンガーＡを、ハンガーネットＸに掛止すると、このハンガー本体１の掛止肩部６と、垂下部７に設けた切り溝２が、縦棧Ｘ２に挿入され、かつ掛止肩部６の外側６ａが、第二横棧Ｘ１−１に掛止される。この挿入と掛止（取付け）により、このハンガー本体１の下部１ｃは、ハンガーネットＸの縦棧Ｘ２と、第二横棧Ｘ１−１とに、クロス形態で、確実、かつ強固に取付けられる構造である。
【００２５】
さらに、このハンガー本体１の表面１ｄに、掛止吊り杆Ｙを挿入可能とする受け部を設ける。この受け部は、開放側Ｑより見て扁平Ｕ字形状で、細幅挿入部８００を有する樋８とし、この樋８の前側壁８ａの高さが、後側壁８ｂの高さに対して、低く構成し、この前側壁８ａを乗越えて、細幅挿入部８００に差込み、その底部８ｃに添接支持する構造である。従って、この掛止吊り杆Ｙの容易な挿入と、その挿入後は、前側壁８ａと、後側壁８ｂ、並びに底部８ｃで、方形状の掛止吊り杆Ｙを、確実、かつ安定して支持する。また、この後側壁８ｂには、貫通した螺子部８０１を形成し、この螺子部８０１には、掛止吊り杆Ｙを固定する止め具１０を螺着する。この止め具１０の螺着で、掛止吊り杆Ｙを、確実に固定できること、また、この固定を、人目につかない箇所で行なうことで、ハンガーＡの美感を確保し、また顧客、作業者等の怪我の回避と、さらに、掛止吊り杆Ｙ等の落下防止等に有効である。
【００２６】
そして、このハンガーＡは、図１の如く、ハンガーネットＸの両端面Ｘ３、Ｘ４（両側面）に取付けられる。
【００２７】
図中Ｂは商品Ｃ用の吊下げフック杆で、前記掛止吊り杆Ｙの適所に支持される。
【００２８】
続いて、ハンガーＡのハンガーネットＸへの取付け方法の一例を説明すると、ハンガー本体１を支持し、その折曲部３と掛止部４の切り溝２、並びに掛止肩部６と垂下部７の切り溝２を、それぞれ縦棧Ｘ２に差込んだ状態で、このハンガー本体１を引き下げる。すると、掛止肩部６の外側６ａが第二横棧Ｘ１−１に衝止すると同時に、折曲部３の折曲げ内面３ａが第一横棧Ｘ１に衝止する。この各衝止で、掛止部４とハンガー本体１の裏面１ｂで、第一横棧Ｘ１を抱持するとともに、この掛止肩部６が第二横棧Ｘ１−１に掛止めされる構造である。従って、本考案では、ハンガー本体１が、串状にクロスする、当該縦棧Ｘ２と、第一横棧Ｘ１、及び第二横棧Ｘ１−１との間に、支持される構造となることで、例えば、このハンガー本体１に掛る、商品Ｂと、フック杆Ｃ、並び掛止吊り杆Ｙ等の全ての荷重と、これらに掛かる、衝撃等に対応できる特徴がある。従って、ハンガー本体１（ハンガーＡ）は、構造、及び形態は、簡単であっても、確実に支持される構造であり、脱落することは、略皆無である。
【００２９】
そして、ハンガーネットＸの両端面Ｘ３、Ｘ４に取付けられた、ハンガー本体１（ハンガーＡ）の各樋８間には、前記掛止吊り杆Ｙの両端が挿入され、止め具１０で緊締固止される。
【符号の説明】
【００３０】
１            ハンガー本体
１ａ          上部
１ｂ          裏面
１ｃ          下部
１ｄ          表面
２            切り溝
３            折曲部
３ａ          折曲げ内面
４            掛止部
５            間隔
６            掛止肩部
６ａ          外側
７            垂下部
８            樋（受け部）
８００        細幅挿入部
８０１        螺子部
８ａ          前側壁
８ｂ          後側壁
８ｃ          底部
１０          止め具
Ａ            ハンガー
Ｂ            フック杆
Ｃ            商品
Ｘ            ハンガーネット
Ｘ１          第一横棧
Ｘ１−１      第二横棧
Ｘ２          縦棧
Ｘ３          端面
Ｘ４          端面
Ｙ            掛止吊り杆
Ｑ            開放側
【図１】
0003161320.tif 000003
【図２】
0003161320.tif 000004
【図３】
0003161320.tif 000005
【図４】
0003161320.tif 000006
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
ハンガー本体と、このハンガー本体の上部に、ハンガー本体の裏面に折曲げた切り溝を備えた折曲部と、この折曲部より鉛直方向に垂下した切り溝を備えた掛止部と、また、このハンガー本体の下部に設けた切り溝を備えた掛止肩部と、この掛止肩部の先端より鉛直方向に垂下した切り溝を備えた垂下部とで構成し、また、前記ハンガー本体の表面に、掛止吊り杆を挿入可能とする受け部を設ける構成であって、
前記各切り溝が、同じ直線状に位置する構造とするとともに、前記各切り溝をハンガーネットの縦棧に差込み、また、前記折曲部と掛止肩部を、このハンガーネットの上下の横棧に掛止する構成としたハンガー。
【請求項２】
請求項１に記載のハンガーであって、
前記受け部は、開放側より見て扁平Ｕ字形状で、細幅挿入部を有する樋とし、この樋の前側壁の高さが、後側壁の高さに対して、低く構成し、前記掛止吊り杆の挿入を容易とする構成としたハンガー。
【請求項３】
請求項１に記載のハンガーであって、
前記樋の後側壁に貫通した螺子部を形成し、この螺子部に、前記掛止吊り杆を固定する止め具を螺着する構成としたハンガー。
【手続補正２】
【補正対象書類名】明細書
【補正対象項目名】全文
【補正方法】変更
【補正の内容】
【考案の詳細な説明】
【技術分野】
【０００１】
本考案は、ハンガーネットの縦横棧に掛止できるハンガー（以下、ハンガーとする）に関する。
【背景技術】
【０００２】
周知の如く、この種のハンガーは、例えば、小物商品を多数個、かつ奥行き方向に、並べて吊下して陳列する場合に、重宝することから、それぞれの店舗で活用されているのが現況である。しかし、多数陳列した商品が接触し、ハンガーが動揺することがあり、この動揺と、仮に動揺としても、ハンガーが脱落しない構造が望まれている。また、このハンガーをハンガーネットに簡易、かつ確実に掛止できて、しかも、掛止したハンガーが、簡単に脱落しない構造のハンガーが要望されている。この要望を満足できるハンガーの構造を調査した、先行文献から検討する。
【０００３】
文献（１）は、実開昭５６−１５５６７９号の「ハンガーネット用掛吊具」であり、ハンガー本体（取付板）の掛止側の中心の上下方向に縦棧が掛止される縦溝を有し、このハンガー本体の掛止側の上部に縦棧の通過を許す切り溝を有する折曲げ掛止部（懸垂片）を設け、かつその掛止側の下部に縦棧の通過を許す切り溝を有する折曲げ掛止部（懸垂片）を設けた構造であって、このハンガー本体の掛吊杆取付側に、この掛吊杆を支持する掛止板と、この掛止板を覆う覆蓋を設けた構造である。この構造では、縦棧にハンガー本体の縦溝を掛止し、また、上下の横棧に、上下部に設けた掛止部を引掛け掛止することを特徴とする。しかし、この文献（１）は、ハンガー本体の上下部に、掛止部を設けるが、この掛止部は、直接、縦棧との交わりを持たず、この掛止部は、ハンガー本体の縦溝を介して、縦棧との関係を確保する。従って、この文献（１）は、荷重及びズレに対して、個々に対応する構造となり、問題を抱えていると考えられる。
【０００４】
この文献（２）は、実開平１−８９０６２号の「ディスプレー用ハンガー」であり、ハンガー本体の上部に、ハンガーネットの縦棧と、第一横棧に掛止される切り溝（二股部分）を有する折曲げ掛止部を設け、また、このハンガーの下部に、ハンガーネットの第二横棧に引掛ける突起部を有する折曲げ形成した固定部を設けた構造であり、第一横棧と第二横棧に、掛止部と固定部の折曲げを掛止することと、縦棧に掛止部と、その折曲げに設けた切り溝を掛止することで、このハンガーをハンガーネットに掛止、かつ吊下することを特徴とする。しかし、この考案は、縦棧にハンガーの上部を掛止する構造であり、縦棧と下部との掛止関係は確保されておらず、安定性に欠ける虞がある。また、この上部を掛止する構造であることから、小物商品袋を吊下する小型のハンガーの範疇に留まっている。
【０００５】
また文献（３）は、特開２００９−７２４１５の「ハンガーネットの物品受け具」であり、ハンガー本体（基板）の掛止側に、縦横棧に掛止できる略卍字形の切り溝を備えた取付部を、四隅に設け、また、ハンガー本体の物品受け部側に、各態様の物品受け部を設けた構造であり、ハンガー本体に設けた取付部を介して、繊維系のハンガーネットが変形しても確実、かつ安定して掛止可能とすることを特徴とする。従って、繊維系のハンガーネットには最適であるが、線材で形成されたハンガーネットでは、構造が複雑となり使用に不便であること、価格的に改良の余地があること、等の改良点が考えられる。
【０００６】
【特許文献１】実開昭５６−１５５６７９号
【特許文献２】実開平１−８９０６２号
【特許文献３】特開２００９−７２４１５
【考案の概要】
【考案が解決しようとする課題】
【０００７】
以上で説明した文献（１）と、文献（２）においては、前述した如く、個々に改良点を抱えている。従って、ハンガーに対する、各方向からの荷重、衝撃に対して、必ずしも、十分でないことから、例えば、個々の掛止部において、それぞれ、縦横棧に掛止関係を確保できる構造が要求される処である。
【０００８】
また、前記文献（３）は、前述した如く、繊維系のハンガーネットには最適であるが、線材で形成されたハンガーネットでは、構造が複雑となり使用に不便であること、価格的に改良の余地があること、等の改良点が考えられる。
【０００９】
上記に鑑み、本考案は、ハンガー本体に設けた、掛止部と、掛止肩部とを、それぞれ、縦横棧に掛止関係を確保できる構造とし、このハンガーに対する、各方向からの荷重、衝撃に対して、十分に耐え得るハンガーを提供する。また、本考案は、物品、又はパッケージ等の各種販売製品を吊下する掛止吊り杆を、ハンガーネットに取付けたハンガーに、容易、かつ簡易に掛止可能とすることを意図する。さらに、本考案は、ハンガーネットに掛止したハンガーに、掛止吊り杆を固定するに際し、このハンガーと掛止吊り杆との固定を、人目につかない箇所に設けた、螺子部と止め具を介して、達成することを意図する。
【課題を解決するための手段】
【００１０】
請求項１の考案は、ハンガー本体に設けた、掛止部と、掛止肩部とを、それぞれ、縦横棧に掛止関係を確保できる構造とし、このハンガーに対する、各方向からの荷重、衝撃に対して、十分に耐え得るハンガーを提供する。また、この請求項１の考案は、ハンガー本他の上部に切り溝を備えた掛止部を、また、その下部に切り溝を備えた掛止肩部を設ける構造とし、このハンガーの掛止時の、バランス感覚で、荷重に対応すること、安定性を確保すること、等を意図する。
【００１１】
従って、請求項１は、ハンガー本体と、このハンガー本体の上部に、ハンガー本体の裏面に折曲げた切り溝を備えた折曲部と、この折曲部より鉛直方向に垂下した切り溝を備えた掛止部と、また、このハンガー本体の下部に設けた切り溝を備えた掛止肩部と、この掛止肩部の先端より鉛直方向に垂下した切り溝を備えた垂下部とで構成し、また、前記ハンガー本体の表面に、掛止吊り杆を挿入可能とする受け部を設ける構成であって、
前記各切り溝が、同じ直線状に位置する構造とするとともに、前記各切り溝をハンガーネットの縦棧に差込み、また、前記折曲部と掛止肩部を、このハンガーネットの上下の横棧に掛止する構成としたハンガーである。
【００１２】
請求項２の考案は、物品、又はパッケージ等の各種販売製品を吊下する掛止吊り杆を、ハンガーネットに取付けたハンガーに、容易、かつ簡易に掛止可能とすることを意図する。
【００１３】
従って、請求項２は、請求項１に記載のハンガーであって、
前記受け部は、開放側より見て扁平Ｕ字形状で、細幅挿入部を有する樋とし、この樋の前側壁の高さが、後側壁の高さに対して、低く構成し、前記掛止吊り杆の挿入を容易とする構成としたハンガーである。
【００１４】
請求項３の考案は、ハンガーネットに掛止したハンガーに、掛止吊り杆を固定するに際し、このハンガーと掛止吊り杆との固定を、人目につかない箇所に設けた（美感と、怪我の回避と、落下防止等）、螺子部と止め具を介して、達成することを意図する。
【００１５】
従って、請求項３は、請求項１に記載のハンガーであって、
前記樋の後側壁に貫通した螺子部を形成し、この螺子部に、前記掛止吊り杆を固定する止め具を螺着する構成としたハンガーである。
【考案の効果】
【００１６】
請求項１の考案は、ハンガー本体と、ハンガー本体の上部に、ハンガー本体の裏面に折曲げた切り溝を備えた折曲部と、折曲部より鉛直方向に垂下した切り溝を備えた掛止部と、また、ハンガー本体の下部に設けた切り溝を備えた掛止肩部と、掛止肩部の先端より鉛直方向に垂下した切り溝を備えた垂下部とで構成し、また、ハンガー本体の表面に、掛止吊り杆を挿入可能とする受け部を設ける構成であって、
各切り溝が、同じ直線状に位置する構造とするとともに、各切り溝をハンガーネットの縦棧に差込み、また、折曲部と掛止肩部を、ハンガーネットの上下の横棧に掛止する構成としたハンガーである。
【００１７】
従って、請求項１は、ハンガー本体に設けた、掛止部と、掛止肩部とを、それぞれ、縦横棧に掛止関係を確保できる構造とし、このハンガーに対する、各方向からの荷重、衝撃に対して、十分に耐え得るハンガーを提供できる。また、この請求項１は、ハンガー本他の上部に切り溝を備えた掛止部を、また、その下部に切り溝を備えた掛止肩部を設ける構造とし、このハンガーの掛止時の、バランス感覚で、荷重に対応できること、安定性を確保できること、等の特徴がある。
【００１８】
請求項２の考案は、請求項１に記載のハンガーであって、
受け部は、開放側より見て扁平Ｕ字形状で、細幅挿入部を有する樋とし、樋の前側壁の高さが、後側壁の高さに対して、低く構成し、掛止吊り杆の挿入を容易とする構成としたハンガーである。
【００１９】
従って、請求項２は、物品、又はパッケージ等の各種販売製品を吊下する掛止吊り杆を、ハンガーネットに取付けたハンガーに、容易、かつ簡易に掛止可能となること、等の特徴を有する。
【００２０】
請求項３の考案は、請求項１に記載のハンガーであって、
樋の後側壁に貫通した螺子部を形成し、螺子部に、掛止吊り杆を固定する止め具を螺着する構成としたハンガーである。
【００２１】
従って、請求項３は、ハンガーネットに掛止したハンガーに、掛止吊り杆を固定するに際し、このハンガーと掛止吊り杆との固定を、人目につかない箇所に設けた（美感と、怪我の回避と、落下防止等）、螺子部と止め具を介して、達成できること、等の特徴を有する。
【図面の簡単な説明】
【００２２】
【図１】ハンガーネットの両側面（縦横棧）に、それぞれハンガーを掛止し、この対のハンガーに掛止吊り杆を設け、かつこの掛止吊り杆に吊下げフックを設けた一例の縮尺斜視図
【図２】ハンガーネットの一側面（一端面）の縦横棧に、ハンガーを掛止し、このハンガーに掛止吊り杆を設けた一例の背面視した斜視図
【図３】ハンガーネットの一側面の縦横棧に、ハンガーを掛止し、このハンガーに掛止吊り杆を設けた一例の断面視した側面図
【図４】ハンガーネットの一側面の縦横棧に、ハンガーを掛止し、このハンガーに掛止吊り杆を設けた一例の断面視した正面図
【考案を実施するための形態】
【００２３】
図中１はハンガーＡの主体となる方形状のハンガー本体で、このハンガー本体１は、その上部１ａを、その裏面１ｂに折曲げて、切り溝２を幅方向の中心に有する折曲部３と、この折曲部３より鉛直方向に垂下した切り溝２を備えた掛止部４とを設ける。そして、この掛止部４は、ハンガー本体１の裏面１ｂに平行に設けて、間隔５を形成する構造である。この間隔５には、ハンガーネットＸの第一横棧Ｘ１が挿入される。また、切り溝２には、線材で構成するハンガーネットＸの縦棧Ｘ２が挿入される。そして、ハンガーＡを、ハンガーネットＸに掛止すると、このハンガー本体１の折曲部３と、掛止部４に設けた切り溝２に、縦棧Ｘ２が挿入され、かつ折曲部３の折曲げ内面３ａが、第一横棧Ａ１に掛止めされる。この挿入と掛止（取付け）により、このハンガー本体１の上部１ａは、ハンガーネットＡの縦棧Ｘ２と、第一横棧Ｘ１とに、クロス形態で、確実、かつ強固に取付けられる構造である。
【００２４】
また、このハンガー本体１の下部１ｃを、その裏面１ｂに向かって略直角に折曲げて、切り溝２を備えた掛止肩部６を形成し、かつこの折曲肩部６の先端より鉛直方向に垂下し、前記掛止部４の鉛直した下方に切り溝２を備えた垂下部７を形成する。そして、ハンガーＡを、ハンガーネットＸに掛止すると、このハンガー本体１の掛止肩部６と、垂下部７に設けた切り溝２が、縦棧Ｘ２に挿入され、かつ掛止肩部６の外側６ａが、第二横棧Ｘ１−１に掛止される。この挿入と掛止（取付け）により、このハンガー本体１の下部１ｃは、ハンガーネットＸの縦棧Ｘ２と、第二横棧Ｘ１−１とに、クロス形態で、確実、かつ強固に取付けられる構造である。
【００２５】
さらに、このハンガー本体１の表面１ｄに、掛止吊り杆Ｙを挿入可能とする受け部を設ける。この受け部は、開放側Ｑより見て扁平Ｕ字形状で、細幅挿入部８００を有する樋８とし、この樋８の前側壁８ａの高さが、後側壁８ｂの高さに対して、低く構成し、この前側壁８ａを乗越えて、細幅挿入部８００に差込み、その底部８ｃに添接支持する構造である。従って、この掛止吊り杆Ｙの容易な挿入と、その挿入後は、前側壁８ａと、後側壁８ｂ、並びに底部８ｃで、方形状の掛止吊り杆Ｙを、確実、かつ安定して支持する。また、この後側壁８ｂには、貫通した螺子部８０１を形成し、この螺子部８０１には、掛止吊り杆Ｙを固定する止め具１０を螺着する。この止め具１０の螺着で、掛止吊り杆Ｙを、確実に固定できること、また、この固定を、人目につかない箇所で行なうことで、ハンガーＡの美感を確保し、また顧客、作業者等の怪我の回避と、さらに、掛止吊り杆Ｙ等の落下防止等に有効である。
【００２６】
そして、このハンガーＡは、図１の如く、ハンガーネットＸの両端面Ｘ３、Ｘ４（両側面）に取付けられる。
【００２７】
図中Ｂは商品Ｃ用の吊下げフック杆で、前記掛止吊り杆Ｙの適所に支持される。
【００２８】
続いて、ハンガーＡのハンガーネットＸへの取付け方法の一例を説明すると、ハンガー本体１を支持し、その折曲部３と掛止部４の切り溝２、並びに掛止肩部６と垂下部７の切り溝２を、それぞれ縦棧Ｘ２に差込んだ状態で、このハンガー本体１を引き下げる。すると、掛止肩部６の外側６ａが第二横棧Ｘ１−１に衝止すると同時に、折曲部３の折曲げ内面３ａが第一横棧Ｘ１に衝止する。この各衝止で、掛止部４とハンガー本体１の裏面１ｂで、第一横棧Ｘ１を抱持するとともに、この掛止肩部６が第二横棧Ｘ１−１に掛止めされる構造である。従って、本考案では、ハンガー本体１が、串状にクロスする、当該縦棧Ｘ２と、第一横棧Ｘ１、及び第二横棧Ｘ１−１との間に、支持される構造となることで、例えば、このハンガー本体１に掛る、商品Ｂと、フック杆Ｃ、並び掛止吊り杆Ｙ等の全ての荷重と、これらに掛かる、衝撃等に対応できる特徴がある。従って、ハンガー本体１（ハンガーＡ）は、構造、及び形態は、簡単であっても、確実に支持される構造であり、脱落することは、略皆無である。
【００２９】
そして、ハンガーネットＸの両端面Ｘ３、Ｘ４に取付けられた、ハンガー本体１（ハンガーＡ）の各樋８間には、前記掛止吊り杆Ｙの両端が挿入され、止め具１０で緊締固止される。
【符号の説明】
【００３０】
１            ハンガー本体
１ａ          上部
１ｂ          裏面
１ｃ          下部
１ｄ          表面
２            切り溝
３            折曲部
３ａ          折曲げ内面
４            掛止部
５            間隔
６            掛止肩部
６ａ          外側
７            垂下部
８            樋（受け部）
８００        細幅挿入部
８０１        螺子部
８ａ          前側壁
８ｂ          後側壁
８ｃ          底部
１０          止め具
Ａ            ハンガー
Ｂ            フック杆
Ｃ            商品
Ｘ            ハンガーネット
Ｘ１          第一横棧
Ｘ１−１      第二横棧
Ｘ２          縦棧
Ｘ３          端面
Ｘ４          端面
Ｙ            掛止吊り杆
Ｑ            開放側